(57)【要約】【課題】マグネチックスターラーの撹拌子と担体との接触を防止できる担体載置台を提供する。【解決手段】撹拌子２２を有するマグネチックスターラー２で内容液が撹拌されるビーカー３の内部に設けられる担体載置台１である。担体載置台１は、担体４が載せられる天板１１と、天板１１を支持し、天板１１とビーカー３の底との間に撹拌子２２が回転する空間を確保する脚部１２とを備える。天板１１および脚部１２は、網状に形成されている。天板１１の上に担体４が載せられ、天板１１の下に撹拌子２２が回転する空間が確保されているので、撹拌子２２と担体４との接触を防止できる。【選択図】図１
2020028817.tif 000002
【特許請求の範囲】
【請求項１】
撹拌子を有するマグネチックスターラーで内容液が撹拌されるビーカーの内部に設けられる担体載置台であって、
担体が載せられる天板と、
前記天板を支持し、前記天板と前記ビーカーの底との間に前記撹拌子が回転する空間を確保する脚部と、を備え、
前記天板および前記脚部は、網状に形成されている
ことを特徴とする担体載置台。
【請求項２】
前記天板は円盤形であり、
前記脚部は上縁が前記天板の外縁に接続した円筒形である
ことを特徴とする請求項１記載の担体載置台。
【請求項３】
前記天板および前記脚部は、ステンレス鋼の線材で形成されている
ことを特徴とする請求項１または２記載の担体載置台。
【発明の詳細な説明】
【技術分野】
【０００１】
本発明は、担体載置台に関する。さらに詳しくは、本発明は、担体が浸漬された液体培地をマグネチックスターラーで撹拌するにあたり、撹拌子に接触しないように担体を載せる台に関する。
【背景技術】
【０００２】
マンガン酸化細菌を利用して排水からマンガンを除去する方法が知られている（例えば、特許文献１）。この方法により多量の排水を処理するには、マンガン酸化細菌を培養する必要がある。マンガン酸化細菌の工業的な培養に先立ち、培養に適した条件を見出すために培養試験が行われる。
【０００３】
一般に、細菌の培養試験はビーカー内の液体培地をマグネチックスターラーで撹拌しながら行われる。また、マンガン酸化細菌などの付着性細菌の培養試験には、細菌が付着できる担体を液体培地に浸漬することが行われる。
【先行技術文献】
【特許文献】
【０００４】
【特許文献１】特開２０１８−８６６４３号公報
【発明の概要】
【発明が解決しようとする課題】
【０００５】
しかし、担体が浸漬された液体培地を撹拌すると、担体が撹拌子に接触し、撹拌子の回転が阻害される。その結果、液体培地の撹拌が不十分になることがある。
【０００６】
本発明は上記事情に鑑み、マグネチックスターラーの撹拌子と担体との接触を防止できる担体載置台を提供することを目的とする。
【課題を解決するための手段】
【０００７】
第１発明の担体載置台は、撹拌子を有するマグネチックスターラーで内容液が撹拌されるビーカーの内部に設けられる担体載置台であって、担体が載せられる天板と、前記天板を支持し、前記天板と前記ビーカーの底との間に前記撹拌子が回転する空間を確保する脚部と、を備え、前記天板および前記脚部は、網状に形成されていることを特徴とする。
第２発明の担体載置台は、第１発明において、前記天板は円盤形であり、前記脚部は上縁が前記天板の外縁に接続した円筒形であることを特徴とする。
第３発明の担体載置台は、第１または第２発明において、前記天板および前記脚部は、ステンレス鋼の線材で形成されていることを特徴とする。
【発明の効果】
【０００８】
第１発明によれば、天板の上に担体が載せられ、天板の下に撹拌子が回転する空間が確保されているので、撹拌子と担体との接触を防止できる。
第２発明によれば、天板および脚部が撹拌による内容液の旋回流に沿った形状を有しているので、担体載置台を設けたことによる内容液の撹拌への影響を低減できる。
第３発明によれば、天板および脚部がステンレス鋼の線材で形成されているので、担体載置台がビーカー内で浮くことを防止できる。また、担体載置台が内容液により腐食されにくい。
【図面の簡単な説明】
【０００９】
【図１】培養試験装置の正面図である。
【図２】本発明の一実施形態に係る担体載置台の正面図である。
【図３】図２の担体載置台の平面図である。
【図４】図２の担体載置台の底面図である。
【発明を実施するための形態】
【００１０】
つぎに、本発明の実施形態を図面に基づき説明する。
図１に、本発明の一実施形態に係る担体載置台１を用いた培養試験装置Ａを示す。培養試験装置Ａはマンガン酸化細菌のほか、種々の細菌の培養試験に用いることができる。
【００１１】
培養試験装置Ａはマグネチックスターラー２を有している。マグネチックスターラー２は、本体２１と、撹拌子２２とからなる。本体２１の天板には、ビーカー３が載せられている。ビーカー３には内容液として、培養対象の細菌に適した液体培地が保持されている。
【００１２】
撹拌子２２はビーカー３に入れられ、ビーカー３の底に配置されている。本体２１を起動すると、設定された回転速度で撹拌子２２が回転する。撹拌子２２が回転することで、ビーカー３の内容液を撹拌できる。マグネチックスターラー２としてホットプレートを内蔵するものを用いてもよい。この場合、ビーカー３の内容液を撹拌しながら、内容液の温度を調整できる。
【００１３】
担体載置台１はビーカー３の内部に設けられる。担体載置台１は撹拌子２２を囲うように、ビーカー３の底に配置される。担体載置台１の上には、担体４が載せられる。担体４としては培養対象の細菌が付着するものであれば特に限定されないが、一般的なバクテリア担体を用いることができる。一般に、担体４はパイプ形、球形などの小片である。多数の担体４をひとまとめにして網袋４１に収容する。この網袋４１をビーカー３内の液体培地に浸漬して、担体載置台１の上に載せる。
【００１４】
図２は担体載置台１の正面図である。担体載置台１の右側面図、左側面図および背面図は正面図と同一である。図３は担体載置台１の平面図である。図４は担体載置台１の底面図である。担体載置台１は、天板１１と、脚部１２とからなる。天板１１の上に担体４が載せられる。脚部１２はビーカー３の底に立設する。脚部１２が天板１１を支持することで、天板１１とビーカー３の底との間に空間が確保される。この空間内において撹拌子２２が回転する。すなわち、天板１１の上に担体４が載せられ、天板１１の下に撹拌子２２が回転する空間が確保されることとなる。
【００１５】
天板１１を境に、担体４が存在する領域と、撹拌子２２が存在する領域とが分離されることから、撹拌子２２と担体４との接触を防止できる。担体４との接触により撹拌子２２の回転が阻害されることがないから、撹拌子２２を設定どおりの回転速度で回転させることができる。その結果、ビーカー３の内容液を所望の条件で撹拌できる。また、担体４をビーカー３の内部で保持できることから、ビーカー３に蓋をするなど、ビーカー３を密閉することもできる。
【００１６】
天板１１の形状は、特に限定されないが円盤形が好ましい。また、脚部１２の形状は、特に限定されないが円筒形が好ましい。天板１１および脚部１２は貫通孔を有してもよい。この場合、天板１１の貫通孔を埋めた形状または包絡面の形状は円盤形が好ましく、脚部１２の貫通孔を埋めた形状または包絡面の形状は円筒形が好ましい。本実施形態の担体載置台１は、円盤形の天板１１の外縁に円筒形の脚部１２の上縁が接続した形状を有している。ここで、円筒形の脚部１２の中心軸は、円盤形の天板１１に対して垂直である。
【００１７】
撹拌子２２の回転によりビーカー３の内容液に旋回流が生じる。天板１１および脚部１２が撹拌による内容液の旋回流に沿った形状を有しているので、担体載置台１を設けたことによる内容液の撹拌への影響を低減できる。
【００１８】
また、本実施形態の天板１１および脚部１２は、線材で網状に形成されている。具体的には、天板１１および脚部１２は、複数の円環部材１３ａ〜１３ｅと、複数のＬ字部材１４ａ〜１４ｄとから構成されている。
【００１９】
３つの円環部材１３ａ、１３ｂ、１３ｃは、この順に半径が大きくなるよう形成されており、同心円状に配置されている。これらの円環部材１３ａ、１３ｂ、１３ｃは、放射状に配置された４つのＬ字部材１４ａ〜１４ｄの水平部に接合されている。３つの円環部材１３ａ、１３ｂ、１３ｃと、４つのＬ字部材１４ａ〜１４ｄの水平部とにより、天板１１が構成されている。
【００２０】
また、３つの円環部材１３ｃ、１３ｄ、１３ｅは、同じ半径を有し、鉛直方向に並んで配置されている。これらの１３ｃ、１３ｄ、１３ｅは、４つのＬ字部材１４ａ〜１４ｄの鉛直部に接合されている。３つの円環部材１３ｃ、１３ｄ、１３ｅと、４つのＬ字部材１４ａ〜１４ｄの鉛直部とにより、脚部１２が構成されている。
【００２１】
なお、天板１１を構成する円環部材１３ａ、１３ｂ、１３ｃの数は３つに限定されず、１つまたは２つでもよいし、４つ以上でもよい。脚部１２を構成する円環部材１３ｃ、１３ｄ、１３ｅの数は３つに限定されず、１つまたは２つでもよいし、４つ以上でもよい。Ｌ字部材１４ａ〜１４ｄの数は、４つに限定されず、３つでもよいし、５つ以上でもよい。
【００２２】
天板１１および脚部１２を形成する線材の素材は、特に限定されないが、ステンレス鋼が好ましい。天板１１および脚部１２をステンレス鋼の線材で形成すれば、液体培地に比べて比重が十分に大きいので、担体載置台１がビーカー３内で浮くことを防止できる。また、担体載置台１が内容液により腐食されにくい。
【符号の説明】
【００２３】
１    担体載置台
１１  天板
１２  脚部
２    マグネチックスターラー
２２  撹拌子
３    ビーカー
４    担体
【図１】
2020028817.tif 000003
【図２】
2020028817.tif 000004
【図３】
2020028817.tif 000005
【図４】
2020028817.tif 000006